(57)【要約】【課題】浴槽の手前側からの操作によって、浴槽に沿って平行に設けられた壁手摺と浴槽の手前側の上縁とに着脱可能に掛け渡すことができる浴槽サポート手摺を提供すること。【解決手段】壁手摺３と浴槽１の手前側の上縁１ａに掛け渡される手摺本体１１と、手摺本体１１の一端部に設けられると共に、壁手摺３に係脱可能なクランプ部を有する壁側ブラケット２０と、手摺本体１１の他端部に設けられると共に、クランプ部の係脱操作可能なレバー部３１を有する操作部３０と、手摺本体１１の長手方向に沿って摺動可能に設けられると共に、浴槽１の上縁１ａに跨がるように設けられる固定部４２を有する浴槽側ブラケット４０と、を具備する。【選択図】図１
2018064678.tif 000002
【特許請求の範囲】
【請求項１】
浴槽に接する壁面に上記浴槽に沿って平行に設けられた壁手摺と、上記浴槽の手前側の上縁とに掛け渡される浴槽サポート手摺であって、
上記壁手摺と上記浴槽の手前側の上縁に掛け渡される手摺本体と、
上記手摺本体の一端部に設けられると共に、上記壁手摺に係脱可能なクランプ部を有する壁側ブラケットと、
上記手摺本体の他端部に設けられると共に、上記クランプ部の係脱操作可能なレバー部を有する操作部と、
上記手摺本体の長手方向に沿って摺動可能に設けられると共に、上記浴槽の上縁に跨がるように設けられる固定部を有する浴槽側ブラケットと、
を具備することを特徴とする浴槽サポート手摺。
【請求項２】
請求項１に記載の浴槽サポート手摺において、
上記壁側ブラケットは、上記壁手摺に係合すべく開口された係合円弧部と、上記係合円弧部の開口側に回動可能に枢着されると共に、ばね部材の付勢力により上記壁手摺との係合が解かれる上記クランプ部とで構成され、
上記操作部は、上記クランプ部に上記ばね部材と連接部材を介して連結されるロッド部と、上記ロッド部に回動可能に枢支される上記レバー部とで構成され、上記レバー部の回動部はカム状に形成されて上記手摺本体の他端面に当接され、該レバー部の回動操作により上記ロッド部が上記手摺本体の手前側に移動すると共に、上記クランプ部が上記ばね部材の付勢力に抗して開口方向に回動して上記壁手摺に圧接するように構成され、
上記浴槽側ブラケットは、上記手摺本体の長手方向に沿って摺動可能に嵌装される手摺挿通部と、下部が開放状に設けられる上記固定部と、上記手摺挿通部と上記固定部とを連結する連結部とで構成される、
ことを特徴とする浴槽サポート手摺。
【請求項３】
請求項２に記載の浴槽サポート手摺において、
上記ロッド部は、円筒状に形成される上記手摺本体の他端部を塞ぐ蓋部材に摺動可能に挿通されると共に、上記手摺本体内に固定されるナットに螺挿されるねじ部が設けられている、ことを特徴とする浴槽サポート手摺。
【請求項４】
請求項１又は２に記載の浴槽サポート手摺において、
上記浴槽側ブラケットは、上記固定部における上記浴槽の内側面に位置する側壁部が設けられ、上記側壁部に螺挿される固定ねじ部材に連結される側部固定板により上記浴槽に固定可能に形成される、ことを特徴とする浴槽サポート手摺。
【請求項５】
請求項１又は２に記載の浴槽サポート手摺において、
上記浴槽側ブラケットは、上記固定部における上記浴槽の外側面に位置する側壁部が設けられ、上記側壁部に、ばね部材の付勢力により上記浴槽の外側面に設けられた凹溝部に係合可能な係止板が設けられている、ことを特徴とする浴槽サポート手摺。
【請求項６】
請求項１ないし５のいずれかに記載の浴槽サポート手摺において、
上記浴槽側ブラケットは、上記固定部における上記浴槽の外側面又は内側面のいずれかに位置する側壁部に、ばね部材の付勢力により上記側壁部から起立するフック部が設けられ、上記フック部は、上記浴槽への取付時には上記ばね部材の付勢力に抗して上記側壁部側に収納可能に形成されている、ことを特徴とする浴槽サポート手摺。
【発明の詳細な説明】
【技術分野】
【０００１】
この発明は、浴槽サポート手摺に関するもので、更に詳細には、浴槽に接する壁面に上記浴槽に沿って平行に設けられた壁手摺と、上記浴槽の手前側の上縁とに掛け渡される浴槽サポート手摺に関するものである。
【背景技術】
【０００２】
従来、浴槽の出入り時や入浴中においても利用可能な手摺として、浴槽に接する壁面に浴槽に沿って平行に設けられた壁手摺と、浴槽の手前側の上縁とに掛け渡される浴槽手摺が知られている（例えば、特許文献１参照）。
【０００３】
特許文献１に記載の浴槽用手摺は、浴槽と平行に固設される上記壁手摺上を摺動可能に設けられるスライド部材と、壁手摺の長手方向に対して垂直にスライド部材に固設される浴槽手摺と、スライド部材に設けられるストッパとを有する構造である。
【０００４】
特許文献１に記載の浴槽用手摺によれば、浴槽における浴槽手摺の位置を所定の位置にスライド移動させてその場で固定することができ、また、不使用時には浴槽手摺を回動させて壁に固定することができる。
【先行技術文献】
【特許文献】
【０００５】
【特許文献１】実用新案登録第３１２６２４０号公報
【発明の概要】
【発明が解決しようとする課題】
【０００６】
しかしながら、特許文献１に記載のものにおいては、壁手摺上を摺動可能に設けられるスライド部材に設けられるストッパを操作して、浴槽手摺を所定の位置への移動と固定を行うため、浴槽の手前側から操作ができない懸念がある。
【０００７】
また、特許文献１に記載の浴槽手摺は、弾性体を介して浴槽の側面に当接しており、浴槽には固定されていないため、入浴者が加重を加えた際にずれる虞がある。
更に、スライド部材は壁手摺に摺動可能に取り付けられているため、浴槽用手摺を取り外すことができず、不使用時には浴槽手摺を回動させて壁に固定するため、浴槽の清掃時において浴槽手摺が邪魔になるなどの懸念がある。
【０００８】
この発明は、上記事情に鑑みてなされたもので、浴槽の手前側からの操作によって、浴槽に沿って平行に設けられた壁手摺と浴槽の手前側の上縁とに確実にかつ着脱可能に掛け渡すことができる浴槽サポート手摺を提供することを課題とする。
【課題を解決するための手段】
【０００９】
上記課題を解決するため、この発明は、浴槽に接する壁面に上記浴槽に沿って平行に設けられた壁手摺と、上記浴槽の手前側の上縁とに掛け渡される浴槽サポート手摺であって、  上記壁手摺と上記浴槽の手前側の上縁に掛け渡される手摺本体と、  上記手摺本体の一端部に設けられると共に、上記壁手摺に係脱可能なクランプ部を有する壁側ブラケットと、  上記手摺本体の他端部に設けられると共に、上記クランプ部の係脱操作可能なレバー部を有する操作部と、  上記手摺本体の長手方向に沿って摺動可能に設けられると共に、上記浴槽の上縁に跨がるように設けられる固定部を有する浴槽側ブラケットと、を具備することを特徴とする（請求項１）。
【００１０】
この発明において、上記壁側ブラケットは、上記壁手摺に係合すべく開口された係合円弧部と、上記係合円弧部の開口側に回動可能に枢着されると共に、ばね部材の付勢力により上記壁手摺との係合が解かれる上記クランプ部とで構成され、  上記操作部は、上記クランプ部に上記ばね部材と連接部材を介して連結されるロッド部と、上記ロッド部に回動可能に枢支される上記レバー部とで構成され、上記レバー部の回動部はカム状に形成されて上記手摺本体の他端面に当接され、該レバー部の回動操作により上記ロッド部が上記手摺本体の手前側に移動すると共に、上記クランプ部が上記ばね部材の付勢力に抗して開口方向に回動して上記壁手摺に圧接するように構成され、  上記浴槽側ブラケットは、上記手摺本体の長手方向に沿って摺動可能に嵌装される手摺挿通部と、下部が開放状に設けられる上記固定部と、上記手摺挿通部と上記固定部とを連結する連結部とで構成されるのが好ましい（請求項２）。
【００１１】
また、この発明において、上記ロッド部は、円筒状に形成される上記手摺本体の他端部を塞ぐ蓋部材に摺動可能に挿通されると共に、上記手摺本体内に固定されるナットに螺挿されるねじ部が設けられているのが好ましい（請求項３）。
【００１２】
また、この発明において、上記浴槽側ブラケットは、上記固定部における上記浴槽の内側面に位置する側壁部が設けられ、上記側壁部に螺挿される固定ねじ部材に連結される側部固定板により上記浴槽に固定可能に形成されるのが好ましい（請求項４）。
【００１３】
また、この発明において、上記浴槽側ブラケットは、上記固定部における上記浴槽の外側面に位置する側壁部が設けられ、上記側壁部に、ばね部材の付勢力により上記浴槽の外側面に設けられた凹溝部に係合可能な係止板が設けられている構造としてもよい（請求項５）。
【００１４】
加えて、この発明において、上記浴槽側ブラケットは、上記固定部における上記浴槽の外側面又は内側面のいずれかに位置する側壁部に、ばね部材の付勢力により上記側壁部から起立するフック部が設けられ、上記フック部は、上記浴槽への取付時には上記ばね部材の付勢力に抗して上記側壁部側に収納可能に形成されているのが好ましい（請求項６）。
【００１５】
（１）請求項１，２に記載の発明によれば、手摺本体に対して摺動可能な浴槽側ブラケットの固定部を浴槽の手前側の上縁に跨がせた状態で固定し、手摺本体を浴槽奥側に倒して壁側ブラケットを壁手摺に掛け渡し、浴槽手前側から操作部のレバー部を操作することで、クランプ部を壁手摺に圧接させて壁側ブラケットを壁手摺に固定することができる。
また、不使用時には、操作部のレバー部を操作して、クランプ部を壁手摺から解放させた状態で、壁手摺と浴槽の手前側の上縁から取り外すことができる。
【００１６】
（２）請求項３に記載の発明によれば、ロッド部は、円筒状に形成される手摺本体の他端部を塞ぐ蓋部材に摺動可能に挿通されると共に、手摺本体内に固定されるナットに螺挿されるねじ部が設けられているので、ロッド部に連接部材を介して連結されるばね部材の付勢力を調整することができる。
【００１７】
（３）請求項４，５に記載の発明によれば、固定ねじ部材又は係止板によって浴槽側ブラケットを浴槽の上縁に固定することで、浴槽サポート手摺を壁手摺と浴槽の上縁の双方に固定することができる。
【００１８】
（４）請求項６に記載の発明によれば、不使用時に壁手摺と浴槽の上縁から取り外された浴槽サポート手摺を、壁面に固設された係止部材にフック部を係止させて収納することができる。
【発明の効果】
【００１９】
この発明によれば、上記のように構成されているので、以下のような優れた効果が得られる。
（１）請求項１，２に記載の発明によれば、浴槽の手前側からの操作によって、浴槽に沿って平行に設けられた壁手摺と浴槽の手前側の上縁とに着脱可能に掛け渡すことができるので、無理な姿勢を取らずに、容易に壁手摺と浴槽の手前側の上縁に確実にかつ着脱可能に取り付けることができる。
【００２０】
（２）請求項３に記載の発明によれば、固定ねじ部材又は係止板によってレバー部を枢支するロッドに連接部材を介して連結されるばね部材の付勢力を調整することができるので、上記（１）に加えて、更に壁側ブラケットの壁手摺の固定を確実にすることができる。
【００２１】
（３）請求項４，５に記載の発明によれば、浴槽側ブラケットを浴槽の上縁に固定することで、浴槽サポート手摺を壁手摺と浴槽の上縁の双方に固定することができるので、上記（１），（２）に加えて、更に浴槽サポート手摺の固定を強固にすることができる。
【００２２】
（４）請求項６に記載の発明によれば、上記（１）〜（３）に加えて、更に不使用時に壁手摺と浴槽の上縁から取り外された浴槽サポート手摺を、壁面に固設された係止部材にフック部を係止させて収納することができる。
【図面の簡単な説明】
【００２３】
【図１】この発明に係る浴槽サポート手摺の第１実施形態の使用状態を示す斜視図である。
【図２】上記浴槽サポート手摺の使用状態を示す断面図（ａ）及び（ａ）のＩ部拡大断面図（ｂ）である。
【図３】上記浴槽サポート手摺の収納状態を示す側面図である。
【図４】上記浴槽サポート手摺の断面図である。
【図５】この発明における壁側ブラケットの係合前の状態を示す断面図（ａ）及び係合状態を示す断面図（ｂ）である。
【図６】上記浴槽サポート手摺の斜視図である。
【図７】この発明に係る浴槽サポート手摺の第２実施形態の使用状態を示す斜視図である。
【図８】第２実施形態の浴槽サポート手摺の使用状態を示す断面図である。
【図９】第２実施形態における係止板の係合状態を示す断面図（ａ）及び第２実施形態におけるフック部の格納状態を示す断面図（ｂ）である。
【図１０】第２実施形態における浴槽側ブラケットの取付状態を示す断面図である。
【図１１】第２実施形態の浴槽サポート手摺を示す斜視図である。
【図１２】第２実施形態における浴槽側ブラケットを示す斜視図である。
【図１３】第２実施形態の浴槽サポート手摺の取り外し状態を示す側面図である。
【図１４】第２実施形態の浴槽サポート手摺の収容状態を示す側面図である。
【発明を実施するための形態】
【００２４】
以下に、この発明に係る浴槽サポート手摺の実施形態を添付図面に基づいて詳細に説明する。
【００２５】
＜第１実施形態＞
この発明に係る浴槽サポート手摺１０は、図１，図２及び図４に示すように、浴槽１に接する壁面２にブラケット４によって浴槽１に沿って平行に設けられた壁手摺３と、浴槽１の手前側の上縁１ａに掛け渡される手摺本体１１と、手摺本体１１の一端部に設けられると共に、壁手摺３に係脱可能なクランプ部２１を有する壁側ブラケット２０と、手摺本体１１の他端部に設けられると共に、クランプ部２１の係脱操作可能なレバー部３１を有する操作部３０と、手摺本体１１の長手方向に沿って摺動及び回動可能に設けられると共に、浴槽１の上縁１ａに跨がるように設けられる固定部４２を有する浴槽側ブラケット４０と、で主に構成されている。
【００２６】
手摺本体１１は、例えば合成樹脂を被覆したアルミニウム製円筒体にて形成されており、一端部には壁側ブラケット２０が取り付けられ、また、他端部の開口部は蓋部材１２によって閉塞されている。
【００２７】
壁側ブラケット２０は、壁手摺３に係合すべく開口された係合円弧部２２と、係合円弧部２２の開口側に回動可能に枢着されると共に、ばね部材である圧縮コイルばね２３の付勢力により壁手摺３との係合が解かれるクランプ部２１とで主に構成されている。
【００２８】
この場合、係合円弧部２２には筒状接続部２４が突設されており、この筒状接続部２４を手摺本体１１の一端部に嵌装して、固定ねじ２５にて固定されている。
また、クランプ部２１は、枢支軸２１ａによって係合円弧部２２の開口側に対して揺動可能に枢着されるベルクランク状に形成されている。
【００２９】
操作部３０は、クランプ部２１に圧縮コイルばね２３と、ワイヤにて形成される連接部材３２を介して連結されるロッド部３３と、ロッド部３３に枢支軸３１ａによって回動可能に枢支されるレバー部３１とで構成されている。
【００３０】
この場合、レバー部３１の回動部にはカム状面３１ｂが形成されて手摺本体１１の他端面の蓋部材１２に当接され、該レバー部３１の回動操作によりロッド部３３が手摺本体１１の手前側に移動すると共に、クランプ部２１が圧縮コイルばね２３の付勢力に抗して開口方向に回動して壁手摺３に圧接するように構成されている（図５参照）。
【００３１】
なお、ロッド部３３は、手摺本体１１の他端部を塞ぐ蓋部材１２に設けられた挿通孔１２ａ内に摺動可能に挿通されると共に、手摺本体１１内に固定されるナット３４に螺挿されるねじ部３３ａが設けられている。このように、ねじ部３３ａとナット３４との螺合位置を調整可能に構成することにより、ロッド部３３に連接部材３２を介して連結される圧縮コイルばね２３の付勢力を調整することができる。
【００３２】
浴槽側ブラケット４０は、手摺本体１１の長手方向に沿って摺動及び回動可能に嵌装される手摺挿通部４１と、下部が開放状に設けられる略コ字状の固定部４２と、手摺挿通部４１と固定部４２とを連結する連結部４３とで構成されている。なお、手摺挿通部４１は少なくとも手摺本体１１に摺動可能に嵌装されていればよい。
【００３３】
この場合、固定部４２における開口側と対向する上部下面には、浴槽１の上縁１ａに当接可能な上部当接ゴム板４８ａが設けられている。また、固定部４２における浴槽１の内側面に位置する側壁部４２ａに貫通孔４２ｃが設けられると共に、側壁部４２ａの外側面に貫通孔４２ｃと連通するナット４４ａが固設されている。側壁部４２ａに固設されたナット４４ａに螺挿される固定ねじ部材４４に連結される側部固定板４４ｂにより浴槽１に固定可能に形成されている。
【００３４】
また、固定部４２における側壁部４２ａと対向する側壁部４２ｂには、枢支軸４７ａによって固定部４２の開口側に揺動可能なフック部４７が設けられており、フック部４７はねじりコイルばね４７ｂの付勢力により側壁部４２ｂから常時起立するように設けられている（図４参照）。また、フック部４７は、浴槽１への取付時にはねじりコイルばね４７ｂの付勢力に抗して側壁部４２ｂ側に収納可能に形成されている（図２（ｂ）参照）。
なお、フック部４７は側壁部４２ａ，４２ｂのうちのいずれか一方に設けられていればよい。
【００３５】
上記のようにフック部４７を設けることにより、不使用時に壁面２に固設された係止部材５０にフック部４７を係止させて、浴槽サポート手摺１０を収納することができる（図３参照）。
【００３６】
上記のように構成される浴槽サポート手摺１０を使用する場合は、まず、レバー部３１を手摺本体１１の外方側に回動させて、クランプ部２１を解放側に位置させた状態にする（図４及び図５（ａ）参照）。そして、浴槽側ブラケット４０を浴槽１の手前側の上縁１ａに跨がせた状態で、手摺本体１１を浴槽１の奥側に倒して壁側ブラケット２０の係合円弧部２２を壁手摺３に掛け渡す。
【００３７】
次に、浴槽１の手前側にあるレバー部３１を手摺本体１１側に回動操作すると、ロッド部３３が手摺本体１１の手前側に移動すると共に、クランプ部２１が圧縮コイルばね２３の付勢力に抗して開口方向に回動して壁手摺３に圧接することで、係合円弧部２２を壁手摺３に固定する（図５（ｂ）参照）。
一方、浴槽側ブラケット４０の固定部４２は、側壁部４２ａに固設されたナット４４ａに螺挿される固定ねじ部材４４によって側部固定板４４ｂを浴槽１に押圧した状態で固定される（図２（ｂ）参照）。
【００３８】
上記のようにして、壁側ブラケット２０が壁手摺３に固定され、浴槽側ブラケット４０が浴槽の手前側の上縁１ａに固定される。したがって、入浴者は安全に浴槽１に出入りすることができると共に、入浴中においても安心して浴槽サポート手摺１０を掴んで利用することができる。
【００３９】
浴槽サポート手摺１０を使用しない場合は、レバー部３１を手摺本体１１の外方側に回動すると、ロッド部３３が手摺本体１１の内方側に移動することにより、クランプ部２１が圧縮コイルばね２３の付勢力によって解放側に位置した状態となる。この状態で、手摺本体１１を浴槽手前側に持ち上げるようにして壁手摺３から取り外し、また、固定ねじ部材４４の固定を解いて、浴槽側ブラケット４０を浴槽１から取り外す。
【００４０】
取り外された浴槽サポート手摺１０は、手摺本体１１の他端側に位置した浴槽側ブラケット４０のフック部４７を壁面２に固設された係止部材５０に係止させて壁面２に収納することができる。
【００４１】
＜第２実施形態＞
第２実施形態の浴槽サポート手摺１０Ａは、第１実施形態における固定ねじ部材４４に代えて、係止板４５を有する浴槽側ブラケット４０Ａを適用した場合である。
なお、第２実施形態において、その他の部分は第１実施形態と同じであるので、同一部分には同一符号を付して、説明は省略する。
【００４２】
第２実施形態における浴槽側ブラケット４０Ａは、図７ないし図１２に示すように、浴槽１の上縁１ａに跨がるように設けられる固定部４２Ａが、浴槽１の外側面に位置する側壁部４２ｄと浴槽１の上縁１ａの内側縁部に位置する段部４２ｅとからなる断面略逆Ｌ字状に形成されている。
【００４３】
また、固定部４２Ａの側壁部４２ｄの開口側面には枢支軸４５ｂによって係止板４５が回動可能に垂設されており、係止板４５の背面側と側壁部４２ｄの間に介在される押圧ばね４６の付勢力によって係止板４５の自由端側が固定部４２Ａの解放側に押圧されるように形成されている。なお、係止板４５の表面には当接ゴム板４８ｃが貼着されている。また、係止板４５の先端部には、固定部４２Ａの解放側に向かって延びる係止爪部４５ａが設けられている。この係止爪部４５ａは浴槽１の外側面に設けられた凹溝１ｂに係合可能に形成されている。
【００４４】
なお、第２実施形態において、フック部４７は固定部４２Ａの側壁部４２ｄにおける係止板４５の側方に設けられている。
【００４５】
上記のように構成される第２実施形態の浴槽サポート手摺１０Ａを使用する場合は、まず、レバー部３１を手摺本体１１の外方側に回動させてクランプ部２１を解放側に位置させた状態にして、浴槽側ブラケット４０Ａの固定部４２Ａを浴槽１の手前側の上縁１ａに跨がせるようにして取り付ける（図１０参照）。
【００４６】
固定部４２Ａが浴槽１の上縁１ａに取り付けられると、フック部４７はねじりコイルばね４７ｂの付勢力に抗しつつ側壁部４２ｄの内側に格納される一方、係止板４５は押圧ばね４６の付勢力により浴槽１の外側面に圧接されると共に、係止爪部４５ａが浴槽１の外側面に設けられた凹溝１ｂに係合する（図９（ａ），（ｂ）参照）。
【００４７】
上記のように、固定部４２Ａを浴槽１の手前側の上縁１ａに跨がせるようにして取り付けると共に、手摺本体１１を浴槽１の奥側に倒して壁側ブラケット２０の係合円弧部２２を壁手摺３に掛け渡す。
【００４８】
次に、第１実施形態と同様に、浴槽１の手前側にあるレバー部３１を操作して係合円弧部２２を壁手摺３に固定する。
【００４９】
浴槽サポート手摺１０を使用しない場合は、第１実施形態と同様に、レバー部３１を操作してクランプ部２１が解放側に位置した状態で、手摺本体１１を浴槽手前側に持ち上げるようにして壁手摺３から取り外し、また、係止板４５の固定を解いて、浴槽側ブラケット４０を浴槽１から取り外す（図１３参照）。
【００５０】
取り外された浴槽サポート手摺１０は、手摺本体１１の他端側に位置した浴槽側ブラケット４０のフック部４７を壁面２に固設された係止部材５０に係止させて壁面２に収納することができる（図１４参照）。
【００５１】
なお、上記第２実施形態では、係止板４５の先端部に係止爪部４５ａを設けて、係止爪部４５ａを浴槽１の外側面に設けられた凹溝１ｂに係合させる場合について説明したが、係止爪部４５ａを設けない係止板４５によっても押圧ばね４６の付勢力によって係止板４５の表面の当接ゴム板４８ｃが浴槽１の外側面に摩擦接触するので、浴槽側ブラケット４０Ａの浴槽１への固定は可能である。
【００５２】
上記のように構成される実施形態の浴槽サポート手摺１０，１０Ａによれば、手摺本体１１に対して摺動及び回動可能な浴槽側ブラケット４０，４０Ａの固定部４２，４２Ａを浴槽１の手前側の上縁１ａに跨がせた状態で、手摺本体１１を浴槽奥側に倒して壁側ブラケット２０を壁手摺３に掛け渡し、浴槽手前側から操作部３０のレバー部３１を操作することで、クランプ部２１を壁手摺３に圧接させて壁側ブラケット２０を壁手摺３に固定することができる。
また、操作部３０のレバー部３１を操作して、クランプ部２１を壁手摺３から解放させた状態で、壁手摺３と浴槽１の手前側の上縁１ａから取り外すことができる。
【００５３】
したがって、無理な姿勢を取らずに、容易に壁手摺３と浴槽１の手前側の上縁１ａに確実にかつ着脱可能に取り付けることができる。
また、不使用時には、浴槽サポート手摺１０，１０Ａを、壁面２に固設された係止部材５０にフック部４７を係止させて収納することができる。
【符号の説明】
【００５４】
１  浴槽
１ａ  上縁
２  壁面
３  壁手摺
１０，１０Ａ  浴槽サポート手摺
１１  手摺本体
２０  壁側ブラケット
２１  クランプ部
２２  係合円弧部
２３  圧縮コイルばね（ばね部材）
３０  操作部
３１  レバー部
３１ｂ  カム状面
３２  連接部材
３３  ロッド部
３３ａ  ねじ部
３４  ナット
４０，４０Ａ  浴槽側ブラケット
４１  手摺挿通部
４２，４２Ａ  固定部
４３  連結部
４４  固定ねじ部材
４４ａ  ナット
４４ｂ  側部固定板
４５  係止板
４５ａ  係止爪部
４５ｂ  枢支軸
４６  押圧ばね（ばね部材）
４７  フック部
５０  係止部材
【図１】
2018064678.tif 000003
【図２】
2018064678.tif 000004
【図３】
2018064678.tif 000005
【図４】
2018064678.tif 000006
【図５】
2018064678.tif 000007
【図６】
2018064678.tif 000008
【図７】
2018064678.tif 000009
【図８】
2018064678.tif 000010
【図９】
2018064678.tif 000011
【図１０】
2018064678.tif 000012
【図１１】
2018064678.tif 000013
【図１２】
2018064678.tif 000014
【図１３】
2018064678.tif 000015
【図１４】
2018064678.tif 000016